(57)【要約】【課題】安価に製造することができ、片手かつワンタッチによって衣類に装着できるハンガーを提供する。【解決手段】ハンガー１は、フック（１３、３１）と、上下方向に延びるメインスリット（１４Ａ、４３Ｂ）、及びメインスリット（１４Ａ、４３Ｂ）の両脇にメインスリット（１４Ａ、４３Ｂ）に向かって延び、メインスリット（１４Ａ、４３Ｂ）の手前において湾曲しながら下方に向きを変えてメインスリット（１４Ａ、４３Ｂ）に沿って延びる一対のサイドスリット（１４Ｂ、４３Ａ）を有し、フック（１３、３１）に連結される本体部（１４、４１）と、先端付近にピン穴（メイン孔１１Ａ、ピン穴５４）を有する根元部（屈曲部１１Ｋ、根元部５３）、及び根元部（屈曲部１１Ｋ、根元部５３）にサイドスリット（１４Ｂ、４３Ａ）に挿通される作動ピン（サイドピン１５、作動ピン５２）を備える一対のアーム（１１、５１）と、本体部（１４、４１）にアーム（１１、５１）を変位可能に係止するピン（メインピン１２、ピン３３）と、を備える。【選択図】図６
2020018821.tif 000002
【特許請求の範囲】
【請求項１】
フックと、
上下方向に延びるメインスリット、及び前記メインスリットの両脇に設けられ、前記メインスリットに向かって延び、前記メインスリットの手前において湾曲しながら下方に向きを変えて前記メインスリットに沿って延びる一対のサイドスリットを有し、前記フックに連結される本体部と、
先端付近にピン穴を有する根元部、及び前記根元部に前記サイドスリットに挿通される作動ピンを備える一対のアームと、
前記本体部に前記アームを変位可能に係止するピンと、
を備えるハンガー。
【請求項２】
前記メインスリットと二つの前記サイドスリットは、
前記メインスリットの上端部と、二つの前記サイドスリットの上端部とが略横一列に並ぶように設けられる請求項１に記載のハンガー。
【請求項３】
前記サイドスリットは、
上側の端部が前記本体部の両脇の縁に開放するように設けられる請求項１又は請求項２に記載のハンガー。
【請求項４】
フックと、
前記フックの下方に設けられ、上下方向に延びるメインスリット、及び前記メインスリットの両脇に設けられ、前記メインスリットに向かって延び、前記メインスリットの手前において湾曲しながら下方に向きを変えて前記メインスリットに沿って延びる一対のサイドスリットを有する本体部と、
付け根に下方に屈曲する屈曲部を有する一対のアームと、
前記屈曲部の先端部に設けられるメイン孔、及び前記メインスリットに挿通されるメインピンと、
前記屈曲部の根元に設けられるサイド孔及び前記サイドスリットに、前記アーム毎に挿通される一対のサイドピンと、
を備えるハンガー。
【請求項５】
フックと、
前記フックの根元に設置され、正面視の手前側と奥側とに二股に分かれる分岐部と、中央部分に挿通孔を有し、前記分岐部の下端に配置されるツマミと、前記ツマミの対向する面に設けられる一対の突起部と、を備える作動部と、
上下方向に延び、前記突起部が嵌め込まれるメインスリットと、前記メインスリットの両脇に設けられ、前記メインスリットに向かって延び、前記メインスリットの手前において湾曲しながら下方に向きを変えて前記メインスリットに沿って延びる一対のサイドスリットと、を有する本体部と、
根元の先端付近にピン穴を有する根元部と、前記根元部に設けられ、前記サイドスリットに挿通される作動ピンと、を備える一対のアームと、
前記挿通孔と前記ピン穴に挿通されるピンと、
を備えるハンガー。
【請求項６】
フックと、
前記フックの根元から下方に延び、下端部に挿通孔を備える作動部と、
上下方向に延びるメインスリットと、前記メインスリットの両脇から前記メインスリットに向かって延び、前記メインスリットの手前において湾曲しながら下方に向きを変えて前記メインスリットに沿って延びる一対のサイドスリットと、を有し、上端部において互いに連結する一対の本体部と、
根元の先端付近にメインピン穴を有する根元部と、前記根元部に設けられ、前記サイドスリットに挿通される一対のサイドピンと、を備える一対のアームと、
前記挿通孔、前記メインスリット、及び前記メインピン穴に挿通されるメインピンと、
を備えるハンガー。
【請求項７】
前記サイドスリットは、
本体部の両脇の縁において開放される請求項５又は請求項６に記載のハンガー。
【発明の詳細な説明】
【技術分野】
【０００１】
本発明は、ハンガーに関する。
【背景技術】
【０００２】
衣料品を販売する店舗等において、例えば丸首のＴシャツをハンガーにかけて展示する場合、従来のハンガーを使うとＴシャツの下部からハンガーを差し入れなければならず、工数と時間がかかっていた。
【０００３】
また、ハンガーを使用するときはハンガーと衣類を夫々の手で持たなければハンガーに服を掛けることが出来ない。衣類をハンガーから外す時も、ハンガーと衣類を夫々の手で持たないとどちらかが落ちてしまう。従って、ハンガーの開閉は片手で尚且つワンタッチで行う必要がある。加えて、ハンガーを手に持たず、物干し竿やハンガーラックパイプに掛けたままでの開閉が行えればより便利である。
【０００４】
この点に関し、アームの付け根に、アームを開いたときに上方に位置する凹部を有する円弧状の溝部を設け、凹部に嵌まるピンをバネによって上方に付勢し、アームを開いたときにピンが凹部に嵌まることによりアームが閉じることを規制するハンガーが提案されている（例えば、特許文献１。）。
【０００５】
しかし、この技術によっては、弾性体という別部材を設ける必要があり、部品代も組み立て費用もかかるために製造コストが高くなる。
【０００６】
また、フックの下方に板状の作動板を設け、この作動板に縦長の溝と、この縦長の溝の左右に横方向に延びた横溝の先端に下方に屈折する縦溝を接続したＬ字型の一対の溝を設け、一対のアームの根元の孔と作動板の縦長の溝にピンを挿通し、各アームの根元の孔付近に設けられる突起を作動板のＬ字型の溝に嵌め込んだハンガーが提案されている（例えば、特許文献２。）。このハンガーは、フックを押し下げるとアームが開くことを意図したものである。
【０００７】
しかし、この技術によっては、アームが閉じた状態においてアームを開くためにフックを押し下げようとしても、片手かつワンタッチによっては開けないという問題がある。これは、アームを閉じた状態において各突起が縦長の溝の付近に位置するためである。この状態において下方に力を加えても、アームを開く方向の力、つまり水平方向の分力は非常に小さいものとなる。従って、アームを開くためには、アームを開くのに必要な水平方向の分力が十分大きくなるように強い力を加えるか、アームをある程度開いて水平方向の分力を大きくする必要がある。従って、片手かつワンタッチによってはアームを開けない。
【０００８】
他の説明をすれば、特許文献２のハンガーにおいては、枢軸５が支点、ガイド突起８が力点、ハンガー腕体１の先端が作用点となる。この場合、支点と力点との間の距離が、支点と作用点との間の距離に比べて短すぎる。従って、ハンガー腕体１を開くには大きな力が必要となるのである。
【先行技術文献】
【特許文献】
【０００９】
【特許文献１】実用新案登録第２５１４７１６号公報
【特許文献２】実開昭５２−１５９７２４号公報
【発明の概要】
【発明が解決しようとする課題】
【００１０】
本発明が解決しようとする課題は、安価に製造することができ、片手かつワンタッチによって衣類に装着できるハンガーを提供することである。
【課題を解決するための手段】
【００１１】
上記課題を解決するために、本発明は、フックと、上下方向に延びるメインスリット、及び前記メインスリットの両脇に設けられ、前記メインスリットに向かって延び、前記メインスリットの手前において湾曲しながら下方に向きを変えて前記メインスリットに沿って延びる一対のサイドスリットを有し、前記フックに連結される本体部と、先端付近にピン穴を有する根元部、及び前記根元部に前記サイドスリットに挿通される作動ピンを備える一対のアームと、前記本体部に前記アームを変位可能に係止するピンと、を備えるハンガーを提供する。
【発明の効果】
【００１２】
本発明によれば、安価に製造することができ、片手かつワンタッチによって衣類に装着できるハンガーを提供することができる。
【図面の簡単な説明】
【００１３】
【図１】第１の実施形態のハンガーのアームが開いた状態の正面図。
【図２】第１の実施形態のハンガーのアームが閉じた状態の正面図。
【図３】第１の実施形態のハンガーの分解斜視図。
【図４】第２の実施形態のハンガーのアームが開いた状態の正面図。
【図５】第２の実施形態のハンガーのアームが閉じた状態の正面図。
【図６】第２の実施形態のハンガーの分解斜視図。
【図７】第２の実施形態の作動部の斜視図。
【図８】第２の実施形態のアームの斜視図。
【図９】第２の実施形態の本体部の斜視図。
【図１０】第２の実施形態の変形例に係るハンガーの斜視図。
【図１１】第２の実施形態の変形例に係るハンガーの分解斜視図。
【発明を実施するための形態】
【００１４】
以下、本発明の一実施形態にかかるハンガー１を、図面を参照しながら説明する。
【００１５】
（第１の実施形態）
図１は本実施形態のハンガー１のアーム１１を開いた状態を示す正面図、図２はハンガー１のアーム１１を閉じた状態を示す正面図、図３はハンガー１の分解斜視図である。
【００１６】
図１から図３までに示すように、ハンガー１は、フック１３と、本体部１４と、一対のアーム１１と、を備える。
【００１７】
本体部１４は、フック１３の図１正面視下端部（以下、上下、左右、縦横は図１正面視に基づくものとする。）に設けられる。本体部１４は、本体部の中央部に本体部１４の上方から下方に向かって延びる貫通溝であるメインスリット１４Ａと、メインスリット１４Ａの両側に設けられる一対のサイドスリット１４Ｂと、を備える。
【００１８】
サイドスリット１４Ｂは、メインスリット１４Ａの上端部に対応する位置において、本体部１４の左右の端部付近からメインスリット１４Ａの方向に向かって延び、メインスリット１４Ａの手前において湾曲しながら向きを変えて、メインスリット１４Ａの長手方向の長さの半分程度まで下方に延びる。
【００１９】
サイドスリット１４Ｂは、湾曲する部分の下端からメインスリット１４Ａに沿って延びる部分が、メインスリット１４Ａと平行に下方に延びる。サイドスリット１４Ｂのこのメインスリット１４Ａに沿って延びる部分は、サイドスリット１４Ｂの湾曲部分を弧とする円の周から外れれば、メインスリット１４Ａと平行でなともよく、外側向きまたは内側向きに下方に延びていてもよい。
【００２０】
メインスリット１４Ａと二つのサイドスリット１４Ｂは、メインスリット１４Ａの上端部と、二つのサイドスリット１４Ｂの上端部とが略横一列に並ぶように設けられる。
【００２１】
一対のアーム１１は互いに同形状に形成されることが、金型の種類を少なくするという点において望ましい。アーム１１は、本体部１４方向の端部において下方に約１２０°の角度をもって屈曲する屈曲部１１Ｋを有し、屈曲部１１Ｋの先端部に設けられる貫通孔であるメイン孔１１Ａと、屈曲部１１Ｋの根元に設けられる貫通孔であるサイド孔１１Ｂと、を備える。
【００２２】
一対のアーム１１は、アーム１１の長さ、開いたときの上端部がなす角度など、基本的な部分が共通していれば、細部の形状が互いに異なっていてもよい。
【００２３】
本体部１４と、一対のアーム１１とは、メインピン１２がメイン孔１１Ａ及びメインスリット１４Ａに、サイドピン１５がサイド孔１１Ｂ及びサイドスリット１４Ｂに、それぞれ挿通されることにより、回動可能に係止される。
【００２４】
メインピン１２にはメインワッシャ１２Ａと、メインナット１２Ｂとが取り付けられる。メインピン１２及びメインナット１２Ｂは軸方向に延びるつまみ部を有する。つまみ部は本体部１４の表面から指がかかる程度にメインピン１２の軸方向に突出する。
【００２５】
サイドピン１５にはサイドワッシャ１５Ａと、サイドナット１５Ｂとが取り付けられる。
【００２６】
なお、メインワッシャ１２Ａ及びサイドワッシャ１５Ａは省略できる。この場合、メインピン１２及びサイドピン１５は嵌め込むと抜けなくなる形状のピンを用いることができる。また、サイドピン１５はアーム１１と一体に形成されていてもよい。
【００２７】
本体部１４は、一対のアーム１１の間に位置していても、一対のアーム１１の外側に位置していてもよい。
【００２８】
次に、ハンガー１の動作について説明する。
【００２９】
アーム１１が閉じた状態から開いた状態にするには、メインピン１２とメインスリット１４Ａの最下底との距離を近づける。つまり、閉じたアーム１１を開く場合には、メインピン１２をメインスリット１４Ａに沿って下方に変位させる。メインピン１２が下方に変位すると、サイドピン１５はサイドスリット１４Ｂの下方に延びる部分に入り込む。
【００３０】
この状態において、アーム１１に閉じる方向の力が加わっても、その力はメインピン１２を支点とし、サイドピン１５を作用点として、下方に延びるサイドスリット１４Ｂの側壁に加わる。そうすると、アーム１１を閉じる方向の力はサイドスリット１４Ｂの側壁に阻まれて、アーム１１が閉じる動作が規制される。
【００３１】
アーム１１を閉じた状態においては、メインピン１２と二つのサイドピン１５は略横一列に並ぶ。この状態においてメインピン１２に下方に力を加えると、この力の横方向の分力はアーム１１を片手によって開くのに十分に大きなものとなる。従って、例えばメインピン１２と本体部１４の下端を指によってつまみ、メインピン１２を押し下げれば片手かつワンタッチによってアーム１１を開くことが可能となる。
【００３２】
他の説明をすれば、サイドピン１５が力点、サイドスリット１４Ｂを円周とした場合の中心に相当する位置が支点（仮想支点）、アーム１１の先端が作用点となる。この場合、支点と力点との間の距離は、支点と作用点との間の距離に対して十分に長いものとなる。従って、片手による比較的小さな力によってもアーム１１を開くことが可能となる。
【００３３】
アーム１１が開いた状態から閉じた状態にするには、メインピン１２とメインスリット１４Ａの最下底との距離を遠ざける。つまり、開いたアーム１１を閉じる場合には、メインピン１２をメインスリット１４Ａに沿って上方に変位させる。メインピン１２が上方に変位すると、サイドピン１５はサイドスリット１４Ｂの横方向に延びる部分に入り込むことが可能となる。
【００３４】
サイドピン１５がサイドスリット１４Ｂに沿って横方向外側に変位すると、アーム１１は自重により閉じる。
【００３５】
なお、メインピン１２は、上述のようにアーム１１とは別体に設けられても、２本のアーム１１のうちの一方のメイン孔１１Ａの位置に一体に形成されてもよい。メインピン１２がアーム１１と一体に形成される場合、メインピン１２が一体に形成されていない方のアーム１１のメイン孔１１Ａをメインピン１２と回転可能に嵌合する嵌合孔とし、メインワッシャ１２Ａ及びメインナット１２Ｂを省略することもできる。
【００３６】
また、２本のサイドピン１５は、上述のようにアーム１１とは別体に設けられても、２本のアーム１１のサイド孔１１Ｂの位置にそれぞれ１本ずつ一体に形成されてもよい。サイドピン１５がアーム１１と一体に形成される場合、サイドワッシャ１５Ａとサイドナット１５Ｂとはサイドスリット１４Ｂに挿通されたサイドピン１５の先端から取り付けられる。
【００３７】
以上述べたように、本実施形態のハンガー１は、メインピン１２と、一対のサイドピン１５と、メインピン１２が挿通されるメイン孔１１Ａ、及びサイドピン１５が挿通されるサイド孔１１Ｂを根元に有する一対のアーム１１と、フック１３と、フック１３の下方に設けられ、メインピン１２を挿通し、メインピン１２が上下方向に変位可能に貫通されるメインスリット１４Ａ、及びサイドピン１５を挿通し、サイドピン１５が、アーム１１を開いたときにアーム１１が閉じることを規制する方向及びメインピン１２を変位させたときにこの規制を解除する方向に貫通される一対のサイドスリット１４Ｂを有する本体部１４と、を備える。
【００３８】
より具体的には、本実施形態のハンガー１は、フック１３と、フック１３の下方に設けられ、上下方向に延びるメインスリット１４Ａ及びメインスリット１４Ａの両脇にメインスリット１４Ａに向かって横方向に延び、メインスリット１４Ａの手前において湾曲しながら下方に向きを変えてメインスリット１４Ａに沿って延びる一対のサイドスリット１４Ｂを有する本体部１４と、付け根に下方に屈曲する屈曲部１１Ｋを有する一対のアーム１１と、屈曲部１１Ｋの先端部に設けられるメイン孔１１Ａ、及びメインスリット１４Ａに挿通されるメインピン１２と、屈曲部１１Ｋの根元に設けられるサイド孔１１Ｂ及びサイドスリット１４Ｂに、アーム１１毎に挿通される一対のサイドピン１５と、を備える。
【００３９】
従って、安価に製造することができ、片手かつワンタッチによってアーム１１を開閉でき、迅速に衣類に装着できるハンガーを提供することができるという効果がある。
【００４０】
（第２の実施形態）
図４は本実施形態のハンガー２のアーム５１が開いた状態の正面図、図５は本実施形態のハンガー２のアーム５１が閉じた状態の正面図、図６は本実施形態のハンガー２の分解斜視図、図７は作動部３０の斜視図、図８はアーム５１の斜視図、図９は本体部４１の斜視図である。
【００４１】
図４から図９までに示すように、本実施形態のハンガー２は、作動部３０と、本体部４１と、一対のアーム５１と、ピン３３と、を備える。
【００４２】
作動部３０は、フック３１と、フック３１の根元に設置され、図１の手前側と奥側とに二股に分かれる分岐部３２と、中央部分に挿通孔３３Ａを有し、分岐部３２の下端に配置されるツマミ３４と、各ツマミ３４の対向する面に設けられる一対の突起部３５と、を備える。
【００４３】
分岐部３２は、弾性力を有し、本体部４１の厚さの分程度にツマミ３４を離間させるように広げることが可能である。
【００４４】
本体部４１は、上下方向に延びるメインスリット４３Ｂと、メインスリット４３Ｂの上端部に対応する位置において、メインスリット４３Ｂの両脇に本体部４１の両端部からメインスリット４３Ｂに向かって湾曲しながら下方に向きを変えてメインスリット４３Ｂに沿って延びる一対のサイドスリット４３Ａと、本体部４１の上端部に配置される第１取手４２と、本体部４１の下端部に配置される第２取手４４と、を有する。サイドスリット４３Ａの上側の端部は本体部４１の両脇の縁にそれぞれ開放していてもよいし、開放していなくてもよい。
【００４５】
サイドスリット４３Ａは、湾曲する部分の下端からメインスリット４３Ｂに沿って延びる部分が、メインスリット４３Ｂと平行に下方に延びる。サイドスリット４３Ａのこのメインスリット４３Ｂに沿って延びる部分は、サイドスリット４３Ａ湾曲部分を弧とする円の周から外れれば、メインスリット１４Ａと平行でなともよく、外側向きまたは内側向きに下方に延びていてもよい。
【００４６】
作動部３０は本体部４１に変位可能に連結する。つまり、上述の第１の実施形態においては、フック１３と本体部１４が一体に形成されることにより連結されていたが、本実施形態においては作動部３０と本体部４１は別体に形成されて変位可能に連結される。
【００４７】
メインスリット４３Ｂと二つのサイドスリット４３Ａは、メインスリット４３Ｂの上端部と、二つのサイドスリット４３Ａの上端部とが略横一列に並ぶように設けられる。サイドスリット４３Ａは、それぞれ円弧状に形成されていてもよいし、直線部分を端部に含んでいてもよい。サイドスリット４３Ａは、メインスリット４３Ｂの伸延方向の途中まで延びる。
【００４８】
アーム５１は、根元にアーム５１の根元側伸延方向に端部まで切り欠いた切り欠きを有し、先端付近にピン穴５４を有する根元部５３と、根元部５３に切り欠きを渡されるように設けられる作動ピン５２と、を備える。
【００４９】
なお、作動ピン５２はアーム１１と一体に形成されていても、根元部５３に穴を設け、この穴にアーム１１とは別体に形成されるピンを挿通してもよい。
【００５０】
次に、ハンガー２の組み立て方法について説明する。
【００５１】
本体部４１のサイドスリット４３Ａに開放端からアーム５１の作動ピン５２を嵌め込む。
【００５２】
作動部３０のツマミ３４を開いて突起部３５をメインスリット４３Ｂに嵌め込む。
【００５３】
挿通孔３３Ａと各アーム５１のピン穴５４にピン３３を挿通する。
【００５４】
次に、ハンガー２の動作について説明する。
【００５５】
アーム５１が閉じた状態から開いた状態にするには、ピン３３とメインスリット４３Ｂの最下底との距離を近づける。つまり、アーム５１が閉じた状態から開いた状態にするには、ツマミ３４と第２取手４４を指によってつまみ、ツマミ３４を第２取手の方向、すなわち下方に変位させる。
【００５６】
アーム５１が閉じた状態においては、ピン３３と、二つの作動ピン５２が略横一列に並ぶ。この状態においてツマミ３４を下方に変位させることによりピン３３に下方に向かう力を加えると、その横方向の分力はアーム５１を開くのに十分に大きいものとなる。
【００５７】
他の説明をすれば、作動ピン５２が力点、サイドスリット４３Ａを円周とした場合の中心に相当する位置が支点（仮想支点）、アーム５１の先端が作用点となる。この場合、支点と力点との間の距離は、支点と作用点との間の距離に対して十分に長いものとなる。従って、片手による比較的小さな力によってもアーム１１を開くことが可能となる。
【００５８】
従って、片手かつワンタッチによってアーム５１を開くことができる。
【００５９】
アーム５１が完全に開くと、アーム５１を閉じる方向の力は作動ピン５２を互いの方に向かう力となるため、アーム５１に衣類を掛けてもアーム５１は閉じない。
【００６０】
アーム５１が開いた状態から閉じた状態にするには、ピン３３とメインスリット４３Ｂの最下底との距離を遠ざける。つまり、アーム５１が開いた状態から閉じた状態にするには、ツマミ３４と第１取手４２とを指によってつまみ、ツマミ３４を第１取手の方向に変位させる。
【００６１】
ハンガー２は、フック３１を物干し竿等に掛け、第１取手４２を指によって下方に変位させるだけのワンタッチによってアーム１１を閉じることができるという効果がある。
【００６２】
作動ピン５２はサイドスリット４３Ａに沿って上方に変位し、アーム５１は自重によって閉じる。
【００６３】
従って、片手かつワンタッチによってアーム５１を閉じることができる。
【００６４】
なお、図１０は本実施形態のハンガー２の変形例に係るハンガー３の斜視図、図１１は本変形例のハンガー３の分解斜視図である。図１０及び図１１に示すように、ハンガー２においては、作動部３０が二股に分かれた形状をなし、本体部４１が二股には分かれていない板状の形状をなしているが、本変形例のハンガー３においては作動部６２が二股に分かれず、本体部７０が二股に分かれた形状をなしている。なお、更なる変形例においては作動部３０及び本体部４１がともに二股に分かれていない形状をなしていてもよい。
【００６５】
図１０及び図１１に示すように、ハンガー３は、フック部６０と、上端において連結する一対の本体部７０と、一対のアーム８０と、を備える。
【００６６】
フック部６０は、フック６１と、フック６１の下端に配置され、下端部に挿通孔６３を有する作動部６２と、を備える。
【００６７】
本体部７０は、上下方向に延びるメインスリット７１と、メインスリット７１の両脇に設けられ、両脇からメインスリット７１に向かって延び、メインスリット７１の手前において湾曲しながら下方に向きを変えてメインスリット７１に沿って延びる一対のサイドスリット７２と、を有する。また、本体部７０は連結部分に挿入孔７３を有する。挿入孔７３にはフック６１の作動部６２が上下変位可能に挿入される。
【００６８】
アーム８０は、アーム８０の根元に配置され、アーム８０の伸延方向上に設けられるサイドピン穴８３と、サイドピン穴８３の図１１の正面視下方に配置されるメインピン穴８４と、を有する根元部８２を備える。
【００６９】
メインスリット７１、各アーム８０のメインピン穴８４、及び挿通孔６３には、１本のメインピン８１が挿通される。メインピン８１はメインピン穴８４に装着された状態において、一端部又は両端部が本体部４１の表面から指がかけられる程度に軸方向に突出する。また、サイドピン穴８３にはサイドピン６４がそれぞれ挿通され、挿通されたサイドピン６４はサイドスリット７２に嵌め込まれる。
【００７０】
なお、サイドピン６４はサイドピン穴８３の位置にアーム８０と一体に形成することもできる。この場合、サイドピン穴８３は設けなくてよい。また、サイドピン６４がアーム８０に対して別体に設け有れる場合には、サイドスリット７２は上端が開放していなくてもよい。
【００７１】
本変形例のハンガー３は、フックを竿に掛けたままでも指によって本体部７０を下方に押し下げるだけにより、小さな力でも１回の動作によってアーム８０を開くことができる。また、本変形例のハンガー３は、メインピン８１を指によって上方に変位させるだけの１回の動作によってアーム８０を閉じることができる。
【００７２】
以上述べたように、本実施形態のハンガー２は、フック３１と、上下方向に延び、突起部３５が嵌め込まれるメインスリット４３Ｂ、及びメインスリット４３Ｂの両脇に両脇の端部からメインスリット４３Ｂに向かって横方向に延び、メインスリット４３Ｂの手前において湾曲しながら下方に向きを変えてメインスリット４３Ｂに沿って延びる一対のサイドスリット４３Ａを有し、フック３１に連結される本体部と、先端付近にピン穴５４を有する根元部５３、及び根元部５３にサイドスリット４３Ａに挿通される作動ピン５２を備える一対のアーム５１と、本体部４１にアーム５１を変位可能に係止するピン３３と、を備える。
【００７３】
具体的には、本実施形態のハンガー２は、フック３１と、フック３１の根元に設置され、正面視の手前側と奥側とに二股に分かれる分岐部３２と、中央部分に挿通孔３３Ａを有し、分岐部３２の下端に配置されるツマミ３４と、各ツマミ３４の対向する面に設けられる一対の突起部３５と、を備える作動部３０と、上下方向に延び、突起部３５が嵌め込まれるメインスリット４３Ｂと、メインスリット４３Ｂの両脇に設けられ、両脇の端部からメインスリット４３Ｂに向かって横方向に延び、メインスリット４３Ｂの手前において湾曲しながら下方に向きを変えてメインスリット４３Ｂに沿って延びる一対のサイドスリット４３Ａと、メインスリット４３Ｂの上方に配置される第１取手４２と、メインスリット４３Ｂの下方に配置される第２取手４４と、を有する本体部４１と、根元に根元側伸延方向に端部まで切り欠いた切り欠きを有し、先端付近にピン穴５４を有する根元部５３と、根元部５３に切り欠きを渡されるように設けられ、サイドスリット４３Ａに挿通される作動ピン５２と、を備える一対のアーム５１と、挿通孔３３Ａとピン穴５４に挿通されるピン３３と、を備える。
【００７４】
また更に、本実施形態のハンガー３は、フック６１と、フック６１の根元から下方に延び、下端部に挿通孔６３を備える作動部６２と、上下方向に延びるメインスリット７１と、メインスリット７１の両脇に設けられ、両脇からメインスリット７１に向かって延び、メインスリット７１の手前において湾曲しながら下方に向きを変えてメインスリット７１に沿って延びる一対のサイドスリット７２と、を有し、上端部において互いに連結する一対の本体部７０と、根元の先端付近にサイドピン穴８３及びサイドピン穴８３の正面視下方に配置されるメインピン穴８４を有する根元部８２と、サイドピン穴８３及びサイドスリット７２に挿通される一対のサイドピン６４と、を備える一対のアーム８０と、挿通孔６３、メインスリット７１、及びメインピン穴８４に挿通されるメインピン８１と、を備えるように構成することも可能である。
【００７５】
従って、安価に製造することができ、片手かつワンタッチによってアーム５１を開閉でき、迅速に衣類に装着できるハンガーを提供することができるという効果がある。
【００７６】
また、本実施形態のハンガー２は、フック３１を物干し竿等に掛け、第１取手４２を指によって下方に変位させるだけのワンタッチによってアーム１１を閉じることができるという効果がある。
【符号の説明】
【００７７】
１  ハンガー
２  ハンガー
３  ハンガー
５  枢軸
８  ガイド突起
１１  アーム
１１Ａ  メイン孔
１１Ｂ  サイド孔
１１Ｋ  屈曲部
１２  メインピン
１２Ａ  メインワッシャ
１２Ｂ  メインナット
１３  フック
１４  本体部
１４Ａ  メインスリット
１４Ｂ  サイドスリット
１５  サイドピン
１５Ａ  サイドワッシャ
１５Ｂ  サイドナット
３０  作動部
３１  フック
３２  分岐部
３３  ピン
３３Ａ  挿通孔
３４  ツマミ
３５  突起部
４１  本体部
４２  第１取手
４３Ａ  サイドスリット
４３Ｂ  メインスリット
４４  第２取手
５１  アーム
５２  作動ピン
５３  根元部
５４  ピン穴
６０  フック部
６１  フック
６２  作動部
６３  挿通孔
６４  サイドピン
７０  本体部
７１  メインスリット
７２  サイドスリット
８０  アーム
８１  メインピン
８２  根元部
８３  サイドピン穴
８４  メインピン穴
【図１】
2020018821.tif 000003
【図２】
2020018821.tif 000004
【図３】
2020018821.tif 000005
【図４】
2020018821.tif 000006
【図５】
2020018821.tif 000007
【図６】
2020018821.tif 000008
【図７】
2020018821.tif 000009
【図８】
2020018821.tif 000010
【図９】
2020018821.tif 000011
【図１０】
2020018821.tif 000012
【図１１】
2020018821.tif 000013
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
フックと、
前記フックの根元に設置され、正面視の手前側と奥側とに二股に分かれる分岐部と、中央部分に挿通孔を有し、前記分岐部の下端に配置されるツマミと、前記ツマミの対向する面に設けられる一対の突起部と、を備える作動部と、
上下方向に延び、前記突起部が嵌め込まれるメインスリットと、前記メインスリットの両脇に設けられ、前記メインスリットに向かって延び、前記メインスリットの手前において湾曲しながら下方に向きを変えて前記メインスリットに沿って延びる一対のサイドスリットと、を有する本体部と、
根元の先端付近にピン穴を有する根元部と、前記根元部に設けられ、前記サイドスリットに挿通される作動ピンと、を備える一対のアームと、
前記挿通孔と前記ピン穴に挿通されるピンと、
を備えるハンガー。
【請求項２】
フックと、
前記フックの根元から下方に延び、下端部に挿通孔を備える作動部と、
上下方向に延びるメインスリットと、前記メインスリットの両脇から前記メインスリットに向かって延び、前記メインスリットの手前において湾曲しながら下方に向きを変えて前記メインスリットに沿って延びる一対のサイドスリットと、を有し、上端部において互いに連結する一対の本体部と、
根元の先端付近にメインピン穴を有する根元部と、前記根元部に設けられ、前記サイドスリットに挿通される一対のサイドピンと、を備える一対のアームと、
前記挿通孔、前記メインスリット、及び前記メインピン穴に挿通されるメインピンと、
を備えるハンガー。
【請求項３】
前記サイドスリットは、
本体部の両脇の縁において開放される請求項１又は請求項２に記載のハンガー。
【手続補正２】
【補正対象書類名】明細書
【補正対象項目名】００１１
【補正方法】変更
【補正の内容】
【００１１】
上記課題を解決するために、本発明は、フックと、前記フックの根元に設置され、正面視の手前側と奥側とに二股に分かれる分岐部と、中央部分に挿通孔を有し、前記分岐部の下端に配置されるツマミと、前記ツマミの対向する面に設けられる一対の突起部と、を備える作動部と、上下方向に延び、前記突起部が嵌め込まれるメインスリットと、前記メインスリットの両脇に設けられ、前記メインスリットに向かって延び、前記メインスリットの手前において湾曲しながら下方に向きを変えて前記メインスリットに沿って延びる一対のサイドスリットと、を有する本体部と、根元の先端付近にピン穴を有する根元部と、前記根元部に設けられ、前記サイドスリットに挿通される作動ピンと、を備える一対のアームと、前記挿通孔と前記ピン穴に挿通されるピンと、を備えるハンガーを提供する。